(57)【特許請求の範囲】
【請求項１】
中空の容器を上下に分割した形状でそれぞれの分割面に互いに対向する上下対称の溝を備えた上スリーブ及び下スリーブとから構成された気密性収納容器の内部に通信ケーブルの端部を収納した後、前記下スリーブ側の溝の中に装着された状態で、前記上スリーブ及び下スリーブを締結することによって、前記通信ケーブル接続部用前記気密性収納容器の内部に気密空間を形成するガスケット（環状のものを除く。）であって、
両端部を有し、
前記下スリーブ側の溝への装着が圧入によるものとなるように、その長手方向に垂直な断面の幅として前記下スリーブ側の溝の側壁間の幅よりも大である部分を含み、前記下スリーブ側の溝へ装着するときに、前記下スリーブ側の溝の側壁間に圧入によって装着される部分と前記下スリーブ側の溝の側壁との間の面圧によって保持され、
前記下スリーブ側の溝の側壁間の幅よりも大である部分が、突起部を備えた部分であり、
前記突起部が、長手方向の中央部に少なくとも一つ、及び前記中央部以外の領域に複数配設され、前記中央部の突起部と前記下スリーブ側の溝の側壁との間の保持力が、前記中央部以外の領域の突起部と前記下スリーブ側の溝の側壁との間の保持力より大きいことを特徴とするガスケット。
【請求項２】
前記中央部以外の領域に配設される突起部が、両端部のそれぞれに少なくとも一つずつ配設された突起部である請求項１に記載のガスケット。
【請求項３】
ガスケットの下半分における、下スリーブ側の溝の中に圧入して装着する前の長手方向に垂直な断面の面積が、前記中央部の突起部の部分における面積より、前記中央部以外の領域の突起部の部分における面積が小さい請求項１又は２に記載のガスケット。
【請求項４】
中空の容器を上下に分割した形状で、それぞれの分割面に互いに対向する上下対称の溝を備えた上スリーブ及び下スリーブと、前記溝の中に装着されるガスケットとから構成され、内部に通信ケーブルの端部を収納した後、前記下スリーブ側の溝の中に前記ガスケットを装着した状態で、前記上スリーブ及び下スリーブを締結することによって、内部に気密空間を形成する通信ケーブル接続部用気密性収納容器であって、
前記ガスケットが、請求項１〜３のいずれかに記載のガスケットであり、
前記ガスケットの前記下スリーブ側の溝への装着が、圧入によるものであり、
前記ガスケットが、前記下スリーブ側の溝の側壁間に圧入によって装着される部分と前記下スリーブ側の溝の側壁との間の面圧によって保持される通信ケーブル接続部用気密性収納容器。
【請求項５】
内部に通信ケーブルの端部を収納した後、前記下スリーブ側の溝の中に前記ガスケットを装着した状態で、前記上スリーブ及び下スリーブを締結し、長手方向中央部から順次外側に向かって締め付けて請求項４に記載の通信ケーブル接続部用気密性収納容器を組み立てる、通信ケーブル接続部用気密性収納容器の組み立て方法。
【発明の詳細な説明】
【技術分野】
【０００１】
本発明は、通信ケーブル接続部用気密性収納容器及びガスケットに関する。更に詳しくは、設置環境に影響されることなく確実に気密性を保持することが可能であるとともに、組み立て時における作業性を向上させた通信ケーブル接続部用気密性収納容器及びそれに用いられるガスケットに関する。
【背景技術】
【０００２】
従来から、通信ケーブルの接続部分を気密状態で収納するため、中空容器を上下二つに分割した形状を有する上下容器（例えば、通信ケーブルの接続の場合における上下スリーブ）を接続して組み立てる際、その分割面に形成した溝にガスケットを介在させることによって気密性を確保する通信ケーブル等の接続部用気密性収納容器が用いられている（例えば、特許文献１〜３参照）。
【０００３】
図４に示すように、通信ケーブル等接続部用気密性収納容器１０は、中空の容器を上下に分割した形状で、それぞれの分割面に互いに対向する上下対称の溝３１、３２を備えた上下スリーブ１１、１２と、溝３１、３２の中に装着されるガスケット２１とから構成され、内部に通信用ケーブル４１を接続、収納した後、下スリーブ１２側の溝３２の中にガスケット２１を装着した状態で、上下スリーブ１１、１２をボルトによって締め付けることによって、内部に気密空間を形成する構成からなっている。なお、図４において、通信用ケーブル４１は、端面板３３によって支持されるとともに、閉塞栓３４によって密閉される。また、端面板３３の外周には粘着シール材３５が設けられるとともに、ガスケット２１の両端に粘着シール材（図示せず）が設けられ、上下スリーブ１１、１２の接続時の密封性を向上させている。ここで、気密性収納容器１０の気密性は、上下スリーブ１１、１２に上下から押圧されて装着されるガスケット２１の上下面と、溝３２の底面との間の面圧で気密空間を実現することによって達成される。
【特許文献１】実開平２−３３５３２号公報
【特許文献２】実開平２−３３５３０号公報
【特許文献３】特開２０００−１７０９１７号公報
【発明の開示】
【発明が解決しようとする課題】
【０００４】
図５（ａ）に示すように、上下スリーブ１１、１２に上下から押圧されて装着されるガスケット２１の形状は、その長手方向に垂直な断面の幅Ｗ２１（断面の任意の位置における幅）が下スリーブ１２側の溝３２の側壁間の幅Ｗ３２（Ｗ２１と同じ位置における幅）よりも小であるため、ガスケット２１は溝３２の中で動きの自由度が大であり、図５（ｂ）に示すように、下スリーブ１２側の溝３２に装着された場合に、溝３２の中で左右のいずれか側に倒れた状態で上方から上スリーブ１１を押圧すると、上下スリーブ１１、１２側の溝３１、３２の中の所望の位置に装着されることなく、上下スリーブ１１、１２における溝３１、３２からはみ出した状態で挟持される場合があり、上下スリーブ１１、１２間に隙間を生じさせ、気密性を維持できない場合があった。
【０００５】
特許文献１及び特許文献２によれば、ガスケットの断面形状を楕円にしたり突起を設けた上下対称の形状のものが開示されている。しかし、前述した図５（ａ）のように溝の側壁間の幅がガスケットの前記断面の幅よりも広くなると、ガスケットが溝の中での動きの自由度が大になってしまい上記問題を解決できない。また、特許文献３のクロージャのパッキン取り付け用溝部に装着するパッキンはここでいうガスケットに相当するが、パッキンの断面形状が前述した図５（ａ）のように楕円の場合、ガスケットが溝の中での動きの自由度が大になってしまい上記問題を解決できない。
【０００６】
この問題は、気密性収納容器の設置場所が、架空など良い作業条件が得られにくい場合、上下スリーブの溝にガスケットを装着する際、ガスケットが適性に装着されたか否かガスケットの収まりの確認が困難であった。十分な確認をしないと、ガスケットが溝からはみ出して気密性を維持できない場合がある。
【０００７】
また、設置場所が、通信ケーブルを収納するための埋設したコンクリート溝の上で、ケーブルの接続と気密性収納容器の組み立てを行う場合、ケーブルが数１００ｍ程度と長い場合、地上の高い位置に持ち上げて作業をすることが困難であった。ケーブルを無理に持ち上げると、接続し組み立てた気密性収納容器を元に収納することができなくなる場合がある。従って、ケーブルの接続と気密性収納容器の組み立ては、地上からわずかに上の低い位置で行わざるを得ないことになり、ガスケットの収まりを十分確認することが困難であった。
【０００８】
また、気密性収納容器やガスケットの材料は、耐久性を向上させるためにカーボンを含有させてあり、外観が黒色であるため、夜間においては気密性収納容器やガスケットのコントラストが不鮮明となる場合もあり、上下スリーブ締結時のガスケットの収まりを確認することが困難であった。
【０００９】
上述のような作業環境や設置環境によってガスケットの収まりを確認することの困難さを更に増大させている。このように、気密性収納容器のガスケットの溝からのはみ出しは気密性収納容器の気密性を損なう大きな要因となる。
【００１０】
本発明は、上述の問題に鑑みなされたもので、設置環境に影響されることなく確実に気密性を保持することが可能であるとともに、組み立て時における作業性を向上させた通信ケーブル等接続部用気密性収納容器及びそれに用いられるガスケットを提供することを目的とする。
【課題を解決するための手段】
【００１１】
本発明者は、上述の課題を解決するべく鋭意研究した結果、ガスケットの形状を、下スリーブの溝に圧入することが可能な形状とすることにより、上記目的を達成することができることを知見し、本発明を完成させた。すなわち、本発明は、以下の通信ケーブル等接続部用気密性収納容器及びそれに用いられるガスケットを提供するものである。
【００１２】
［１］  中空の容器を上下に分割した形状でそれぞれの分割面に互いに対向する上下対称の溝を備えた上スリーブ及び下スリーブとから構成された気密性収納容器の内部に通信ケーブルの端部を収納した後、前記下スリーブ側の溝の中に装着された状態で、前記上スリーブ及び下スリーブを締結することによって、前記通信ケーブル接続部用前記気密性収納容器の内部に気密空間を形成するガスケット（環状のものを除く。）であって、両端部を有し、前記下スリーブ側の溝への装着が圧入によるものとなるように、その長手方向に垂直な断面の幅として前記下スリーブ側の溝の側壁間の幅よりも大である部分を含み、前記下スリーブ側の溝へ装着するときに、前記下スリーブ側の溝の側壁間に圧入によって装着される部分と前記下スリーブ側の溝の側壁との間の面圧によって保持され、前記下スリーブ側の溝の側壁間の幅よりも大である部分が、突起部を備えた部分であり、前記突起部が、長手方向の中央部に少なくとも一つ、及び前記中央部以外の領域に複数配設され、前記中央部の突起部と前記下スリーブ側の溝の側壁との間の保持力が、前記中央部以外の領域の突起部と前記下スリーブ側の溝の側壁との間の保持力より大きいことを特徴とするガスケット。
【００１３】
［２］  前記中央部以外の領域に配設される突起部が、両端部のそれぞれに少なくとも一つずつ配設された突起部である［１］に記載のガスケット。
【００１４】
［３］  ガスケットの下半分における、下スリーブ側の溝の中に圧入して装着する前の長手方向に垂直な断面の面積が、前記中央部の突起部の部分における面積より、前記中央部以外の領域の突起部の部分における面積が小さい［１］又は［２］に記載のガスケット。
【００１５】
［４］  中空の容器を上下に分割した形状で、それぞれの分割面に互いに対向する上下対称の溝を備えた上スリーブ及び下スリーブと、前記溝の中に装着されるガスケットとから構成され、内部に通信ケーブルの端部を収納した後、前記下スリーブ側の溝の中に前記ガスケットを装着した状態で、前記上スリーブ及び下スリーブを締結することによって、内部に気密空間を形成する通信ケーブル接続部用気密性収納容器であって、前記ガスケットが、［１］〜［３］のいずれかに記載のガスケットであり、前記ガスケットの前記下スリーブ側の溝への装着が、圧入によるものであり、前記ガスケットが、前記下スリーブ側の溝の側壁間に圧入によって装着される部分と前記下スリーブ側の溝の側壁との間の面圧によって保持される通信ケーブル接続部用気密性収納容器。
【００１６】
［５］  内部に通信ケーブルの端部を収納した後、前記下スリーブ側の溝の中に前記ガスケットを装着した状態で、前記上スリーブ及び下スリーブを締結し、長手方向中央部から順次外側に向かって締め付けて［４］に記載の通信ケーブル接続部用気密性収納容器を組み立てる、通信ケーブル接続部用気密性収納容器の組み立て方法。
【発明の効果】
【００１７】
本発明のガスケットは、突起部により、下スリーブの分割面に形成された溝に保持され、取り付け時に下スリーブを傾けたり、装着場所が暗くて見難い場合等でも、ガスケットが溝から外れることなく装着され、確実に上スリーブと下スリーブとの接合面の気密性を保持することができる。これにより、設置環境に影響されることなく確実に気密性を保持することが可能であるとともに、組み立て時における作業性を向上させた気密性収納容器及びそれに用いられるガスケットを提供することができる。
【発明を実施するための最良の形態】
【００１８】
以下、本発明の実施の形態を、図面を参照しつつ具体的に説明する。
【００１９】
図１は本発明の気密性収納容器及びガスケットの実施形態を示す説明図である。
【００２０】
図１に示す本発明の気密性収納容器１０は、円筒状の中空の容器であり、その中空の容器は、円筒状の中空の容器を円筒の回転軸を含む平面で２分割した上側を構成する上容器（上スリーブ）１１と、下側を構成する下容器（下スリーブ）１２とからなっている。上下スリーブ１１、１２の材質は、軽量で耐久性に優れ、強度に優れたプラスチックであることが好ましい。より好ましくは、ガラス繊維を補強材とした熱硬化性樹脂（主として不飽和ポリエステル樹脂やエポキシ樹脂）で、ＦＲＰ（ガラス繊維強化プラスチック）と呼ばれるものであるが、収納する電線ケーブルと同等以上の耐用年数をもたせるため、最も好ましくはＦＲＰＰ（ガラス繊維強化ポリプロピレン）である。耐久性を高めるためにＦＲＰＰはカーボンを含有してもよい。上下スリーブは一般に射出成形、プレス成形等によって形成される。下スリーブ１２の長手方向両端部より通信用ケーブルが、端面板３３及び粘着シール材により気密性が保持されるようにして挿入され、気密性収納容器１０の内部に通信用ケーブル４１の端部が収納されるように形成されている。上スリーブ１１と下スリーブ１２のそれぞれの分割面３６には、分割面の長手方向に沿ってそれぞれ互いに対向する上下対称の溝３１、３２が形成されている。そして溝３２に沿ってガスケット２１が装着され、上スリーブ１１と下スリーブ１２とを分割面３６で接合し、締付具３７により固定することにより、円筒状の気密性収納容器１０を形成する際に、ガスケット２１により接合部分の気密性が確保される。ここで、気密性は、ガスケット２１が、上スリーブ１１の溝３１及び下スリーブ１２の溝３２の底部に押圧され、その接する面の面圧により確保されている。図１に示す気密性収納容器１０は、ケーブルの端部同士を気密に接続するために使用する気密性クロージャを形成している。
【００２１】
ガスケット２１には、中央部に２箇所、両端部に２箇所ずつ突起部２２が形成されている。ガスケット２１はこの突起部２２により、下スリーブ１２の分割面３６に形成された溝３２に保持され、取り付け時に下スリーブ１２を傾けたり、装着場所が暗くて見難い場合等でも、ガスケット２１が溝３２から外れることなく装着され、確実に上スリーブ１１と下スリーブ１２との接合面の気密性を保持することができる。これにより、設置環境に影響されることなく確実に気密性を保持することが可能であるとともに、組み立て時における作業性を向上させた気密性収納容器及びそれに用いられるガスケットを提供することができる。
【００２２】
ガスケット２１の材質には一般にゴム弾性体が使用できるが、具体的には、ＥＰＤＭ（エチレンプロピレンゴム）を使用するのが最も好ましい。その理由は、ＥＰＤＭは耐久性（耐熱性、耐水性、耐候性、耐寒性、耐オゾン性、永久圧縮歪み等を含む）がバランスよく良好だからである。上下スリーブ１１、１２の溝の開口部の幅（溝の開口部は下スリーブ１２の分割面３６上に存在するが、溝の開口部の幅とは溝の長手方向に対して垂直な方向の開口部の長さをいう）が溝内部の幅（溝内部の幅とは開口部の幅方向と同じ方向の長さをいう）以下の場合、シリコーンゴムやフッ素ゴムもガスケットの材質として使用することができる。その理由はシリコーンゴムやフッ素ゴムは溝の側壁との摩擦力がＥＰＤＭに比べ著しく小さいため、たとえば図２（ｂ）に示すように溝の側壁の形状がテーパー状（溝の底部から溝の開口部の方に向かって溝の側壁間の幅が広くなっている形状）の場合、ガスケットを下スリーブ１２に圧入しても同図の上方向に押し戻されることがあるからである。開口部の幅が溝内部の幅以下の場合、たとえば図２（ｂ）の溝のテーパーが上下逆になっている形状（溝の開口部の方に向かって溝幅が狭くなっている形状）や、同図のテーパーがない場合即ち図の上下方向に対して平行である溝の形状の場合ならば、ガスケットの圧入後にガスケットが上方向に押し戻されることはない。なおこのとき上スリーブ１１の溝にガスケットがはまりにくくならないように溝の開口部の幅は上スリーブ１１の溝内に挿入されるガスケット２１の断面幅よりも大きいことが好ましい。ガスケット２１は一般に射出成形等によって形成される。
【００２３】
図２（ａ）はガスケット２１の突起部２２が形成されている部分の長手方向に垂直な断面を示す。ガスケット２１の断面形状は、突起部２２を除いた部分が楕円形であり、突起部２２は楕円の中心から長径方向片側に位置し、短径方向両側に形成されている。図２（ｂ）に示すように、ガスケット２１は長径方向の突起部２２が配置される側が下スリーブ１２に装着される。このとき、ガスケット２１の突起部における幅Ｗ２１（断面の突起部にかかる任意の位置の幅）が、対応する溝３２の幅Ｗ３２（Ｗ２１と同じ位置における幅）より大きく形成されている。そのため、ガスケット２１が、下スリーブ１２の溝３２の側壁間に、突起部２２により圧入によって装着され、溝３２の側壁と突起部２２との面圧によって保持される。
【００２４】
ガスケット２１は、下スリーブ１２の溝３２に装着する際に、溝３２の幅Ｗ３２より幅広の部分を形成するが、それは突起部である必要はなく、なだらかに幅が大きくなる部分を形成してもよい。ガスケット２１の幅Ｗ２１が、対応する溝３２の溝幅Ｗ３２より大きい部分が突起部である場合、ガスケット２１の長手方向中央部に少なくとも一つ配置されることが好ましい。中央部を保持することにより、より安定的にガスケットを保持することができるからである。また、図１に示すように、突起部２２が、ガスケット２１の長手方向中央部に少なくとも一つ及び中央部以外の領域に複数配設されることが好ましく、この中央部以外の領域の複数の突起部が両端部にそれぞれ少なくとも一つずつ配設されると更に好ましい。これにより、ガスケット２１が溝３２から外れやすい部分を有効に保持することができるため、ガスケットが施工中に溝から外れることもなく、気密性収納容器１０の気密性を確保することができる。
【００２５】
ガスケット２１の突起部は、端部の突起部の高さの方が中央部の突起部の高さよりも小であることが好ましい。突起部２２の高さＨ２２については図２（ａ）に示す。これによって、ガスケット２１を下スリーブ１２の溝３２に圧入により装着したときの、ガスケット２１の突起部２２と溝３２の側壁との間の面圧（保持力）が、ガスケット２１の長手方向の中央部に配設されたものは大きく、端部に配設されたものは小さくなる。あるいは別の形状としては、中央部から端部に向かっていくほど突起部の高さが小である形状が好ましい。これによって、ガスケット２１を下スリーブ１２の溝３２に圧入により装着したときの、ガスケット２１の突起部２２と溝３２の側壁との間の面圧（保持力）が、ガスケット２１の長手方向の中央部に配設されたものほど大きく、中央部から端部へと距離が離れるほど小さくなる。これらの形状を取る結果、気密性収納容器を組み立てる際に、上スリーブ１１と下スリーブ１２とをガスケット２１を介して締結し、締付具３７により締め付けて固定する際に、ガスケット２１の長手方向中央部から締め付け、順次外側に向かって締め付けていくため、端部側の突起部は締め付けられるに従い、更に端部側へと位置がずれることになり、端部側の突起の保持力を小さくすることにより、この移動をスムーズにするのである。これにより、ガスケットに応力歪みが生じ難くなり、気密性も向上する。
【００２６】
下スリーブ１２の溝３２の、長手方向に垂直な断面の溝空間面積Ｓ１に対する、ガスケット２１の突起部２２の部分の長手方向に垂直な断面の、下スリーブ１２の溝３２に装着される側半分の面積Ｓ２（図２（ｂ）の斜線部）の割合（（Ｓ２／Ｓ１）×１００）（％）が、１００〜１３０％であることが好ましい。ガスケット２１の中央部に配設された突起については、１１５〜１２０％が更に好ましい。また、両端部に配設された突起については、１００〜１１５％が更に好ましく、１０５〜１１０％が最も好ましい。これにより、下スリーブ１２の溝３２の溝壁とガスケット２１の突起部２２との面圧をより適正にすることができる。前記割合が１００％より小さいと、溝３２の側壁と接する突起部２２の接触面が小さくなり、所望の保持力が得られないことになる。前記割合が１３０％より大きいと、ガスケット２１が溝３１、３２に入りきれなくなる場合がある。
【００２７】
図３は本発明の気密性収納容器及びガスケットを示す他の実施形態を示す説明図である。図３に示すように、本発明の気密性収納容器の他の実施形態は、四角柱状の中空の容器であり、その中空の容器は、四角柱の軸方向を含み一対の側面に平行な面で２分割され、分割した上側を構成する上容器（上スリーブ１１）と、下側を構成する下容器（下スリーブ１２）とからなっている。下スリーブ１２の長手方向両端部より通信用ケーブルが、端面板３３及び粘着シール材により気密性が保持されるようにして挿入され、気密性収納容器１０の内部に通信用ケーブル４１の端部が収納されるように形成されている。また、長手方向両端部のもう一つの穴が閉塞栓３４により気密に塞がれている。上スリーブ１１と下スリーブ１２のそれぞれの分割面３６には、分割面の長手方向に沿ってそれぞれ互いに対向する上下対称の溝３１、３２が形成されている。そして溝３２に沿ってガスケット２１が装着され、上スリーブ１１と下スリーブ１２とを分割面３６で接合し、分割面３６から上下スリーブの外側に向かって板状に突き出した部分（突出部）にボルト１４をねじ込むことにより気密性収納容器１０を固定している。そして、気密性収納容器１０の気密性は、ガスケット２１が、上スリーブ１１の溝３１及び下スリーブ１２の溝３２の底部に押圧され、その接する面の面圧により確保されている。図３に示した、本発明の気密性収納容器及びガスケットの他の実施形態におけるガスケットも、上述の、図１に示した本発明の気密性収納容器及びガスケットの実施形態におけるガスケットと同様のものが使用される。
【００２８】
なお、本発明は上記各実施形態に限定されるものではなく、その他の実施形態としては、前記突起部が、前記ガスケットの長手方向の中央部に一つのみ又は三つ以上配設されてなるガスケット、又は前記ガスケットを装着した通信ケーブル等接続部用気密性収納容器であってもよい。更にその他の実施形態として、前記中央部以外の領域に複数配設されてなる前記突起部が、前記ガスケットの長手方向の両端部にそれぞれ少なくとも二つずつ配設されてなるものを含むガスケット又は前記ガスケットを装着した通信ケーブル等接続部用気密性収納容器であってもよい。更にその他の実施形態として、ガスケットの突起部はガスケットの長手方向に帯状に延びる形状でかつ中央部から端部に向かって突起部の高さが小さくなる形状でもよい。更にガスケットの形状及びスリーブの溝の形状について、図６及び図７に示すように種々の形状があり得る。詳しくいえばガスケットとスリーブの溝がそれぞれ長手方向に直線的な形状をとったり、ガスケットの長手方向に垂直な断面（突起のない部分）が楕円形の他に円形、多角形である場合がある。なお、ガスケットを下スリーブに圧入して収納した図を図８に示す。
【実施例】
【００２９】
上述の、図１に示す気密性収納容器について、ガスケット保持力を、ガスケット中央部で３Ｎ、両端部で２．５Ｎとし、気密性収納容器内圧を０．１ＭＰａとしてヒートサイクル試験を行った結果、内圧が初期値の８０％以上を保持することができ、気密性が良好であることが確認された。ヒートサイクル試験は、−２０〜＋６０℃の間を８時間で１サイクルとなるように温度変化させ、合計１００サイクルの試験の後、内圧を測定した。
【００３０】
以下に請求項に記載した以外に本発明を記載する。なお以下の発明は前述した実施形態及びその他実施形態から把握できるものである。
【００３１】
（１）本発明の通信ケーブル等接続部用気密性収納容器において、上述の中央部以外の領域に複数配設されてなる上述の突起部が、上述のガスケットの長手方向の両端部のそれぞれに少なくとも一つずつ配設されてなるものを含む通信ケーブル等接続部用気密性収納容器。
【００３２】
（２）本発明の通信ケーブル等接続部用気密性収納容器において、上述の中央部以外の領域に複数配設された上述の突起部の高さが、上述のガスケットの長手方向の中央部に配設された突起部の高さよりも小である通信ケーブル等接続部用気密性収納容器。
【００３３】
（３）本発明の通信ケーブル等接続部用気密性収納容器において、上述の下スリーブ側の溝の長手方向に垂直な断面の溝空間面積（Ｓ１）に対する、上述のガスケットの下半分における、上述の下スリーブ側の溝の中に圧入して装着する前の長手方向に垂直な断面の面積（Ｓ２）の割合（（Ｓ２／Ｓ１）×１００）（％）が、１００〜１３０％である通信ケーブル等接続部用気密性収納容器。
【００３４】
（４）本発明のガスケットにおいて、上述の中央部以外の領域に複数配設されてなる上述の突起部が、長手方向の両端部のそれぞれに少なくとも一つずつ配設されてなるものを含むガスケット。
【００３５】
（５）本発明のガスケットにおいて、上述の中央部以外の領域に複数配設された上述の突起部の高さが、長手方向の中央部に配設された上述の突起部の高さよりも小であるガスケット。
【００３６】
（６）本発明のガスケットにおいて、上述の下スリーブ側の溝の長手方向に垂直な断面の溝空間面積（Ｓ１）に対する、下半分における、上述の下スリーブ側の溝の中に圧入されて装着される前の長手方向に垂直な断面の面積（Ｓ２）の割合（（Ｓ２／Ｓ１）×１００）（％）が、１００〜１３０％であるガスケット。
【産業上の利用可能性】
【００３７】
以上説明したように、本発明によって、設置環境に影響されることなく確実に気密性を保持することが可能であるとともに、組み立て時における作業性を向上させた気密性収納容器及びそれに用いられるガスケットを提供することができる。
【図面の簡単な説明】
【００３８】
【図１】本発明の通信ケーブル等接続部用気密性収納容器及びガスケットを示す説明図である。
【図２】本発明のガスケットの突起部の長手方向に垂直な断面を示す説明図であり、図２（ａ）はガスケットの断面図であり、図２（ｂ）はガスケットを下容器の溝に圧入したときの断面図である。
【図３】本発明の通信ケーブル等接続部用気密性収納容器及びガスケットの他の実施形態を示す説明図である。
【図４】通信ケーブル等接続部用気密性収納容器及びガスケットの従来例を示す説明図である。
【図５】従来のガスケットを下容器の溝に装着したときの長手方向に垂直な断面を示す説明図であり、図５（ａ）は装着直後を示し、図５（ｂ）はガスケットが溝内で傾いたところを示す図である。
【図６】本発明の通信ケーブル等接続部用気密性収納容器及びガスケットの他の実施形態を示す説明図である。
【図７】本発明のガスケットの他の実施形態を示す説明図であり、ガスケットの突起部とその周辺部を示し、図７（ａ）は断面形状が多角形のものを示し、図７（ｂ）は断面形状が楕円形のものを示し、図７（ｃ）は断面形状が円形のものを示す図である。
【図８】本発明の通信ケーブル等接続部用気密性収納容器の下スリーブに本発明のガスケットを収納した状態を示す説明図である。
【符号の説明】
【００３９】
１０：気密性収納容器、１１：上スリーブ、１２：下スリーブ、１３：突出部、１４：ボルト、２１：ガスケット、２２：突起部、２３：ガスケットの長手方向に垂直な断面、３１：溝、３２：溝、３３：端面板、３４：閉塞栓、３５：粘着シール材、３６：分割面、３７：締付具、４１：通信用ケーブル、Ｗ２１：ガスケット２１の幅、Ｗ３２：溝３２の幅、Ｓ１：下スリーブの溝の断面の溝空間面積、Ｓ２：ガスケットの断面において下スリーブ装着側の面積、Ｈ２２：突起部２２の高さ。
【図１】
0004630895.tif 000002
【図２】
0004630895.tif 000003
【図３】
0004630895.tif 000004
【図４】
0004630895.tif 000005
【図５】
0004630895.tif 000006
【図６】
0004630895.tif 000007
【図７】
0004630895.tif 000008
【図８】
0004630895.tif 000009